(57)【要約】【課題】メディアデータの複製を防止し、容易且つコストがかかることなく、携帯電話端末間で、試聴用のデータをやりとりする。【解決手段】携帯電話基地局を通じて無線通信を行う基地局向け通信部と、加入者端末識別子と加入者識別子によって暗号化されたメディアデータとを格納する格納部と、携帯電話基地局を介することなく端末間で直接通信を行い、他の携帯電話端末から、端末間直接通信によって、メディアデータと該他の携帯電話端末の加入者端末識別子とを受信する端末間直接通信部と、端末間直接通信部で受信するときに、基地局向け通信部の動作を停止する停止部と、自身の加入者端末識別子を他の携帯電話端末の加入者端末識別子で上書きし、メディアデータの再生が終了すると、他の携帯電話端末の加入者端末識別子を自身の加入者端末識別子で上書きする更新部と、更新部が上書きした後に基地局向け通信部を起動させる起動部と、を備える携帯電話端末。【選択図】図１
2010067018.tif 000002
【特許請求の範囲】
【請求項１】
携帯電話基地局を通じて無線通信を行う基地局向け通信部と、
携帯電話の加入者端末を識別するために各加入者端末に固有に割り当てられる加入者端末識別子と複製を防止するために前記加入者識別子によって暗号化されたメディアデータとを格納する格納部と、
前記携帯電話基地局を介することなく端末間で直接通信を行い、他の端末間直接通信可能な携帯電話端末から、端末間直接通信によって、メディアデータと該メディアデータの復号化に用い、該他の携帯電話端末の加入者端末識別子とを受信する端末間直接通信部と、
前記メディアデータと前記他の携帯電話端末の加入者識別子とを受信するときに、前記基地局向け通信部の動作を停止する停止部と、
前記格納部に格納される自身の加入者端末識別子を前記他の携帯電話端末の加入者端末識別子で上書きし、前記メディアデータの再生が終了するときに、前記格納部に格納される前記他の携帯電話端末の加入者端末識別子を自身の加入者端末識別子で上書きする更新部と、
前記更新部が前記自身の加入者端末識別子で前記他の携帯電話端末の加入者端末識別子を上書きした後に前記基地局向け通信部を起動させる起動部と、
を備える携帯電話端末。
【請求項２】
前記停止部は、前記他の携帯電話端末の加入者端末識別子で復号化した該メディアデータを再生する場合には、前記基地局向け通信部の動作を停止する
請求項1に記載の携帯電話端末。
【発明の詳細な説明】
【技術分野】
【０００１】
本発明は、動画や音楽等の大容量のメディアデータを携帯電話基地局を介さず端末間の直接通信によって送受信する携帯電話端末に関する。
【背景技術】
【０００２】
動画や音楽等のコンテンツ（メディアデータ）を携帯電話端末に配信するサービスとして、例えば、音楽サーバ等から曲をダウンロードして購入するサービスがある。このような配信サービスでは、コンテンツの複製を防止する目的で、ダウンロードしたコンテンツを利用者の識別子（例えばＵＭＩ情報等）で暗号化して、利用者の携帯電話端末に格納する。利用者がダウンロードしたコンテンツを再生する場合には、利用者の識別子で復号化することによって、視聴可能となる。
【０００３】
メディアデータの暗号化に使用されるものとしてはＵＭＩ情報等がある。ＵＭＩ情報は、第３世代（ＩＭＴ-２０００）の携帯電話端末の識別情報であり、その端末に唯一の情
報として割りてられる。
【０００４】
ダウンロードしたコンテンツを再生するには、ダウンロードした携帯電話端末のＵＭＩ情報が必要となる。従って、このような配信サービスを利用して購入されたコンテンツは、コンテンツを格納する携帯電話端末以外の端末に持ち出すことができなかった。
【特許文献１】特開２００２−２０３１１８号公報
【特許文献２】特開２００６−２６７７６３号公報
【特許文献３】特開２００３−２０８１６２号公報
【特許文献４】特開２００２−３０４１７９号公報
【発明の開示】
【発明が解決しようとする課題】
【０００５】
例えば、ダウンロードによって購入した曲を、他の友人に薦めたい場合には、自分の携帯電話端末で曲を再生して聞かせるという方法がある。しかし、このような方法の場合、携帯電話端末を他人に渡さなければならず、他人に携帯電話端末を操作され、個人情報が漏えいする可能性がある。
【０００６】
他の手段としては、友人にも同じ曲をダウンロードしてもらう方法がある。しかし、この方法の場合、例え試聴するだけだとしても、試聴用音楽のダウンロードにかかるパケット通信の料金が高額になってしまう。
【０００７】
そこで、メディアデータの複製を防止しつつ、手渡し感覚で、すなわち、容易に且つコストがかからず、他の携帯電話端末にメディアデータを送ることができる方法が求められていた。
【０００８】
開示の携帯電話端末の目的は、メディアデータの複製を防止しつつ、容易且つコストがかかることなく、他の携帯電話端末からメディアデータを受信し、試聴することができる技術を提供することである。
【課題を解決するための手段】
【０００９】
開示の携帯電話端末は、携帯電話基地局を通じて無線通信を行う基地局向け通信部と、
携帯電話の加入者端末を識別するために各加入者端末に固有に割り当てられる加入者端末識別子と複製を防止するために前記加入者識別子によって暗号化されたメディアデータ
とを格納する格納部と、
前記携帯電話基地局を介することなく端末間で直接通信を行い、他の端末間直接通信可能な携帯電話端末から、端末間直接通信によって、メディアデータと該メディアデータの復号化に用い、該他の携帯電話端末の加入者端末識別子とを受信する端末間直接通信部と、
前記メディアデータと前記他の携帯電話端末の加入者識別子とを受信するときに、前記基地局向け通信部の動作を停止する停止部と、
前記格納部に格納される自身の加入者端末識別子を前記他の携帯電話端末の加入者端末識別子で上書きし、前記メディアデータの再生が終了するときに、前記格納部に格納される前記他の携帯電話端末の加入者端末識別子を自身の加入者端末識別子で上書きする更新部と、
前記更新部が前記自身の加入者端末識別子で前記他の携帯電話端末の加入者端末識別子を上書きした後に前記基地局向け通信部を起動させる起動部と、を備える。
【００１０】
開示の携帯電話端末によれば、携帯電話の基地局を介さず端末間でメディアデータを受信するので、実際の動作としては、他の携帯電話端末と端末間通信可能な範囲に携帯端末を近づけるだけでよく、容易且つコストをかけることなく、メディアデータを受信することができる。また、メディアデータを再生する場合には、基地局向け通信部の動作が停止される。すなわち、携帯電話端末としての本来の機能を停止する間のみメディアデータを再生が可能となる。メディアデータの再生終了とともに、他の携帯電話端末の加入者情報は自身の加入者端末情報によって上書きされ失われてしまうので、それ以上、メディアデータを復号化して再生することができなくなる。このことによって、メディアデータが複製されることを防止することができる。
【発明の効果】
【００１１】
開示の装置及びシステムによれば、メディアデータの複製を防止しつつ、容易且つコストがかかることなく、他の携帯電話端末からメディアデータを受信し、試聴することができる技術を提供することができる。
【発明を実施するための最良の形態】
【００１２】
以下、図面を参照して、開示の装置及びシステムの実施の形態を説明する。尚、実施の形態は例示であり、開示の装置及びシステムは、以下の実施の形態の構成には限定されない。
【００１３】
＜第１実施形態＞
図１は、ＩＣ（Ｉｎｔｅｇｒａｔｅｄ  Ｃｉｒｃｕｉｔ）通信による音楽配信の概略の例を示す図である。図１では、利用者Ａが音楽サーバＭＳから曲をダウンロードして購入し、購入した曲を利用者Ｂに（試聴用として）渡す例を示す。
【００１４】
ＩＣチップには、 ＣＰＵ（Ｃｅｎｔｒａｌ Ｐｒｏｃｅｓｓｉｎｇ Ｕｎｉｔ）、ＲＯ
Ｍ（Ｒｅａｄ−Ｏｎｌｙ Ｍｅｍｏｒｙ）、ＲＡＭ（Ｒａｎｄｏｍ−Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ ＲＯＭ）、Ｃｏ−Ｐｒｏｃｅｓｓｏｒ等が格納されている。ＲＯＭは、読出
し専用メモリで実行プログラムや暗号アルゴリズムを格納する。ＥＥＰＲＯＭは、電気的に書換え可能なデータ格納用の不揮発性メモリである。ＥＥＰＲＯＭは、大容量であり、1枚のＩＣカードを多目的に利用することを実現する。Ｃｏ−Ｐｒｏｃｅｓｓｏｒは、Ｒ
ＳＡ（Ｒｉｖｅｓｔ Ｓｈａｍｉｒ Ａｄｌｅｍａｎ）暗号等の公開鍵暗号アルゴリズムを高速に処理する為の処理装置である。
【００１５】
ＩＣカードの読み書き方式には、接触型と非接触型とがある。接触型のＩＣカードは、
上述のようなＩＣチップのみを備えている。接触型のＩＣカードの読み書き方式では、ＩＣカードに備えられているＩＣモジュール端子と読書き装置（リーダ／ライタ）の端子とが接触することで電力供給や通信を行っている。非接触型のＩＣカードは、上述のようなＩＣチップとアンテナとなるコイルとを備えている。非接触型の読書き装置は、コイルを備えており、コイルに電流を流すことで磁界を発生させる。ＩＣカードを読書き装置の磁界内に置くと、ＩＣカードのコイルに電流が流れ、ＩＣカードのＩＣチップが作動する。非接触型のＩＣカードの読み書き方式では、読書き装置の磁界内（通信範囲内）にＩＣカードを置くだけで、通信が行われる。読書き装置とＩＣカードの通信できる距離は、規格によるが、０ｍｍから７０ｍｍ程度である。以下、非接触型のＩＣカードと読み取り装置とで通信を行うことをＩＣ通信と称する。
【００１６】
携帯電話にも、非接触型のＩＣカードが導入されている。携帯電話などのモバイル端末には、モバイル用のＩＣカードが搭載されている。前述の非接触型のＩＣカードとの主な違いは、搭載されるモバイル端末とのインターフェイスを備えている点、電源を搭載される端末から供給する点等がある。
【００１７】
利用者Ａの携帯電話Ａは、いわゆる第３世代（ＩＭＴ−２０００）と呼ばれる携帯電話である。携帯電話Ａは、ＵＭＩカード（Ｕｓｅｒ  Ｉｄｅｎｔｉｔｙ  Ｍｏｄｕｌｅ  Ｃａｒｄ）２Ａを保持する。ＵＭＩカード２Ａは、携帯電話Ａに入っている抜き挿し可能な接触型ＩＣカードで、ＳＩＭカード（Ｓｕｂｓｃｒｉｂｅｒ  Ｉｄｅｎｔｉｔｙ  Ｍｏｄｕｌｅ  Ｃａｒｄ）とも呼ばれる。ＵＭＩカード２Ａには、契約者（利用者Ａ）を識別するためのＩＭＳＩ（Ｉｎｔｅｒｎａｔｉｏｎａｌ  Ｍｏｂｉｌｅ  Ｓｕｂｓｃｒｉｂｅｒ
Ｉｄｅｎｔｉｔｙ：以下、「ＵＭＩ情報」と称す）と呼ばれる固有の番号が付与されている。携帯電話Ａは、ＵＭＩ情報と電話番号を結びつけることにより通信を可能としている。通常、携帯電話Ａは、ＵＭＩカード２ＡからＵＭＩ情報等を読み出し、自身のメモリ３Ａに格納する。このことによって、携帯電話Ａは、利用者Ａが契約した電話番号とＵＭＩ情報を有した携帯電話として動作する。例えば、利用者ＢのＵＭＩカード２Ｂを利用者Ａの携帯電話Ａに差し込むと、携帯電話Ａは、ＵＭＩカード２Ｂから利用者Ｂの電話番号とＵＭＩ情報（ＵＭＩ−Ｂ）とを読み出し、メモリ３Ａに格納する。このようにして、携帯電話Ａは、利用者Ｂの携帯電話として動作する。
【００１８】
携帯電話Ａは、無線パケット通信することができる。無線パケット通信によって、携帯電話Ａは、携帯メールを送受信したり、携帯電話専用のサイトを閲覧したりすることができる。また、無線パケット通信によって、音楽配信サイトから音楽をダウンロードすることも可能である。
【００１９】
携帯電話Ａは、非接触型のＩＣカードを備えており、ＩＣ通信を行うことも可能である。ＩＣ通信によって、携帯電話Ａは、電子マネーのプリペイドカード、クレジットカード、定期券等の機能を果たす。また、携帯電話Ａが保持する電話帳などの情報や、携帯電話Ａに付属するカメラで撮った画像等を他のＩＣ通信可能な携帯電話と送受信することもできる。このようなＩＣ通信を行う際には、携帯電話のＩＣ通信用ポートを相手のＩＣ通信用ポートの通信可能範囲に近づける（重ね合わせる）ことによって、データの送受信を行う。
【００２０】
携帯電話Ａは、更に、無線通信にかかるすべての機能を停止する「電波停止モード」を備える。電波停止モードとは、電話の発信や応答、携帯メールの送受信、携帯電話用サイトの閲覧等の、通話や通信を必要とする操作を不可能にするモードである。例えば、病院や電車の優先席付近の、携帯電話の電波を排除する場所で使用することを目的とした機能である。
【００２１】
以上のような携帯電話Ａと同様の機能を利用者Ｂの携帯電話Ｂも備えていることとする。
【００２２】
携帯電話Ａが音楽サーバＭＳから、携帯電話用サイトを通じて、曲を１曲ダウンロードして購入したとする。この購入した曲は携帯電話Ａのメモリ３Ａに格納される。このとき、携帯電話ＡのＵＭＩ情報（ＵＭＩ−Ａ）でダウンロードした曲を暗号化して格納する。メモリ３Ａには、暗号化されたデータとＵＭＩカード２Ａに格納される携帯電話ＡのＵＭＩ情報（ＵＭＩ−Ａ）を保持する。この暗号化されたデータは、携帯電話のＵＭＩ情報（ＵＭＩ-Ａ）によって復号することができる。
【００２３】
利用者Ａの携帯電話Ａから利用者Ｂの携帯電話ＢへＩＣ通信で曲を渡すときには、携帯電話ＡのＩＣ通信用ポートを携帯電話ＢのＩＣ通信用ポートの通信範囲に近づける（重ね合わせる）。ＩＣ通信によって、携帯電話Ａから携帯電話Ｂに、暗号化されたデータと携帯電話ＡのＵＭＩ情報（ＵＭＩ−Ａ）とが送信される。
【００２４】
利用者Ｂの携帯電話Ｂには、ＩＣ通信によって取得した暗号化されたデータと携帯電話ＡのＵＭＩ情報（ＵＭＩ−Ａ）とがメモリ３Ｂに格納される。携帯電話Ｂは、携帯電話Ａと同様の暗号化及び復号化アルゴリズムを実行する処理部又はプログラムが搭載されている。このとき、メモリ３Ｂに格納されていた携帯電話ＢのＵＭＩ情報（ＵＭＩ―Ｂ）は、携帯電話ＡのＵＭＩ情報（ＵＭＩ−Ａ）に書き換えられる。即ち、一時的に携帯電話Ｂで携帯電話Ａを再現することになる。携帯電話Ｂは、メモリ３Ｂに格納された携帯電話ＡのＵＭＩ情報（ＵＭＩ−Ａ）を用いて、暗号化されたデータを復元し再生する。
【００２５】
なお、ＩＣ通信を開始するとともに、携帯電話Ａ及び携帯電話Ｂは、電波停止モードが起動する。携帯電話Ｂは、更に、受信したデータ（曲）を再生している間は、電波停止モードが継続する。再生が終了すると、電波停止モードが解除され、それとともに、メモリ３Ｂに格納されているＵＭＩ情報（ＵＭＩ−Ａ）は、携帯電話ＢのＵＭＩカード２Ｂに格納されているＵＭＩ情報（ＵＭＩ−Ｂ）に書き換えられる。これ以降、携帯電話Ｂは、暗号化されたデータを復号化できなくなる。即ち、携帯電話Ａがダウンロードして購入した曲を、携帯電話Ｂでは、これ以上再生することができなくなる。
【００２６】
＜携帯電話の構成例＞
図２は、ＩＣ通信による音楽配信を実現する携帯電話の構成例を示す図である。即ち、図１における携帯電話Ａ及び携帯電話Ｂの構成例を示す図である。
【００２７】
携帯電話Ａは、無線制御部１１、呼制御部１２、入力受付部１３、電波停止モード管理部１４、ＵＭＩ管理部１５、ＵＭＩ格納部１５Ａ、ＵＭＩカード１６、格納部１７、データ管理部１８、ＩＣカード１９、ＩＣカード通信２０、及び再生部２１を備える。
【００２８】
無線制御部１１（「基地局向け通信部」に相当）は、基地局への携帯電話Ａの位置情報の送信、基地局からの電波の受信、及び通話や通信に係る制御を行う。例えば、携帯電話Ａの電源が入れられたときには、無線制御部１１は、基地局に対して、自身の位置を知らせるための情報を送信する。また、定期的に基地局から送信される情報を受信することで、移動による使用基地局の変更を検出する。呼制御部１２（「基地局向け通信部」に相当）は、通話開始時に、認識している使用基地局との間の呼制御を行う。
【００２９】
入力受付部１３は、携帯電話Ａのボタン操作や、タッチパネル式の携帯電話の場合には、タッチパネル操作を受け付け、その入力に応じた処理の指示を各部に送信する。
【００３０】
電波停止モード管理部１４（「停止部」「起動部」に相当）は、電波停止モードの起動
及び解除を管理する。電波停止モードが起動されると、電波停止モード管理部１４は、無線通信部１１と呼制御部１２とを無効化する。電波停止モードが解除されると、電波停止モード管理部１４は、無線通信部１１と呼制御部１２とを有効化する。
【００３１】
ＵＭＩ管理部１５（「更新部」に相当）は、ＵＭＩ情報の管理を行う。ＵＭＩ管理部１５は、ＵＭＩ格納部１５Ａ（「格納部」に相当）を備える。ＵＭＩ管理部１５は、携帯電話Ａの電源投入時、ＵＭＩカード１６に格納されているＵＭＩ情報（「加入者識別情報」に相当）を読み出し、ＵＭＩ格納部１５Ａに格納する。通話、通信、及び、暗号化された音楽データを再生する場合には、ＵＭＩ管理部１５は、ＵＭＩ格納部１５Ａに格納されているＵＭＩ情報を読み出して各処理部に渡す。ＵＭＩ管理部１５は、電波停止モードが起動しており、且つ、ＩＣ通信にてＵＭＩ情報を受信した場合には、ＵＭＩ格納部１５Ａに受信したＵＭＩ情報を格納する。電波停止モードが解除されると、ＵＭＩ管理部１５は、ＵＭＩカード１６からＵＭＩ情報を読み出してＵＭＩ格納部１５Ａに格納する。
【００３２】
格納部１７（「格納部」に相当）は、各種データを格納する。格納するデータの例としては、アドレス帳、送受信した携帯メール、付属のカメラで撮った画像データ、ダウンロードして購入した音楽データ等がある。
【００３３】
データ管理部１８は、格納部１７に格納されるデータの管理を行う。データ管理部１８は、（ＩＣ通信や無線通信などで）受信したデータを格納部１７に書き込んだり、送信及び再生するデータを格納部１７から読み出したりする。
【００３４】
ＩＣカード１９（「端末間直接通信部」に相当）は、ＩＣ通信を行うための非接触型ＩＣチップである。ＩＣカード１９には、電子マネーの残高、クレジットカードのカード番号、定期券の区間情報及期限情報等のＩＣ通信を利用するサービスに係る情報が格納されている。ＩＣカード１９は、他の機器とＩＣ通信を行う際のインターフェイスとなる。
【００３５】
ＩＣカード通信部２０は、ＩＣカード１９と携帯電話Ａとのインターフェイスである。例えば、電子マネーの残高を携帯電話Ａのディスプレイに表示するときには、ＩＣカード１９に格納されている電子マネーの残高情報の読み出し等を行う。また、携帯電話Ａから他の携帯電話に、例えば、自身の電話番号及びメールアドレス等をＩＣ通信で送信する場合には、ＩＣカード通信部２０は、データ管理部１８から情報を受け取り、ＩＣカード１９に渡す。
【００３６】
再生部２１は、音楽データ、動画データ、画像データを再生し、ディスプレイ、スピーカ、イヤホン等の出力部に出力する。データが暗号化されている場合には、ＵＭＩ管理部１５からＵＭＩ情報を受信し、復号化を行ってから、データを再生する。
【００３７】
無線制御部１１、呼制御部１２、入力受付部１３、電波停止モード管理部１４、ＵＭＩ管理部１５、データ管理部１８、ＩＣカード通信部２０、及び再生部２１は、それぞれ、携帯電話Ａに搭載されたメモリに格納される、所定の動作を行うプログラムとして実現されてもよい。例えば、無線制御部１１は無線制御プログラム、再生部２１は再生プログラムなどである。これらのプログラムを携帯電話ＡのＣＰＵ、または、それぞれ専用の電子回路等で実現されてもよい。
【００３８】
ＵＭＩ管理部１５、及び格納部１７は、ＲＡＭなどの記録媒体で実現される。
【００３９】
＜携帯電話の動作例＞
図３Ａ及び図３Ｂは、ＩＣ通信による音楽配信に係る携帯電話Ａの動作例を示すフロー図である。携帯電話Ａは、ＩＣ通信が開始（利用者の入力による指示、ＩＣ通信の受信等
による）すると、電波停止モード管理部１４が、無線通信部１１と呼制御部１２とを無効化し、電波停止モードを起動する（ＯＰ１）。
【００４０】
携帯電話Ａは、ＩＣ通信が送信であるか、受信であるかを判定する（ＯＰ２）。送信の場合は、入力受付部１３がボタン操作又はタッチパネル操作などによりＩＣ通信による送信の指示を受け付けていることでＩＣ通信の送信を判定可能である。受信の場合は、ＩＣカード１９が起動することによりＩＣ通信の受信が判定可能である。
【００４１】
ＩＣ通信が送信の場合には（ＯＰ２：Ｙｅｓ）、送信するデータが暗号化データか否かを判定する（ＯＰ３）。暗号化データとは、ＡのＵＭＩ情報で復号可能な情報であり、専らＡでの利用のために作成されたデータである。この判定は、例えば、入力受付部１３が、受け付けた入力を解析し、送信すべきデータファイルの拡張子などによって、送信すべきデータが暗号化されているか否かを判別可能である。
【００４２】
送信するデータが暗号化データである場合には（ＯＰ３：Ｙｅｓ）、入力受付部１３は、データ管理部１８に送信予定の暗号化データの読み出しと、ＵＭＩ管理部１５にＵＭＩ情報の読み出しとを指示する。データ管理部１８は、送信予定の暗号化データを格納部１７から読み出して、ＩＣカード通信部２０に渡す。ＵＭＩ管理部１５は、ＵＭＩ格納部１５Ａに格納されているＵＭＩ情報を読み出して、ＩＣカード通信部２０に渡す。ＩＣカード通信部２０は、暗号化データとＵＭＩ情報とをＩＣカード１９を通じて送信する（ＯＰ４）。送信が完了すると、電波停止モード管理部１４は無線制御部１１と呼制御部１２とを有効化し、電波停止モードを解除する（ＯＰ５）。
【００４３】
送信するデータが暗号化データでない場合には（ＯＰ３：Ｎｏ）、入力受付部１３は、データ管理部１８に送信予定のデータの読み出しを指示する。データ管理部１８は格納部１７から送信予定のデータを読み出し、ＩＣカード通信部２０を渡す。ＩＣカード通信部２０は、ＩＣカード１９を通じてデータを送信する（ＯＰ６）。データの送信が完了すると、電波停止モード管理部１４は無線制御部１１と呼制御部１２とを有効化し、電波停止モードを解除する（ＯＰ５）。
【００４４】
ＩＣ通信が受信の場合には（ＯＰ２：Ｎｏ）、ＩＣカード通信部２０は、ＩＣカード１９を通じて送信されるデータを受信する（ＯＰ７）。ＩＣカード通信部２０は、受信したデータをデータ管理部１８に渡す。データ管理部１８は受信したデータ内にＵＭＩ情報が含まれているか否か判定する（ＯＰ８）。
【００４５】
受信したデータにＵＭＩ情報が含まれている場合には（ＯＰ８：Ｙｅｓ）、データ管理部１８は受信したＵＭＩ情報をＵＭＩ管理部１５に渡す。ＵＭＩ管理部１５は、受信したＵＭＩ情報をＵＭＩ格納部１５Ａに格納し、自身のＵＭＩ情報を受信したＵＭＩ情報で上書きする（ＯＰ９）。データ管理部１８は、ＵＭＩ情報以外の情報は格納部１７に格納する。受信したデータにＵＭＩ情報が含まれていない場合には（ＯＰ８：Ｎｏ）、処理がＯＰ１０に進む。
【００４６】
入力受付部１３は、受信したデータの再生を指示する入力があるか否かを判定する（ＯＰ１０）。受信したデータの再生指示がある場合には（ＯＰ１０：Ｙｅｓ）、入力受付部１３は、データ管理部１８に再生予定の受信データの読み出しを要求するとともに、受信データが暗号化されているか否かを判定する（ＯＰ１１）。受信データが暗号化されたデータであるか否かの判定は、受信したデータの拡張子等によりデータ管理部１８が判定してもよい。また、ＯＰ８でＵＭＩ情報が含まれていると判定したことを以て、受信データは暗号化であると判定してもよい。
【００４７】
受信データが暗号化されている場合には（ＯＰ１１：Ｙｅｓ）、入力受付部１３は、ＵＭＩ管理部１５にＵＭＩ情報を読み出すよう指示する。ＵＭＩ管理部１５はＵＭＩ格納部１５ＡからＵＭＩ情報を読み出し、再生部２１に渡す（ＯＰ１２）。このときのＵＭＩ格納部１５Ａに格納されているＵＭＩ情報は、ＩＣ通信で受信したＵＭＩ情報である。受信データが暗号化されていない場合には（ＯＰ１１：Ｎｏ）、処理がＯＰ１３に進む。
【００４８】
データ管理部１８から再生すべきデータを受信すると、再生部２１は、データを再生する（ＯＰ１３）。このとき、データが暗号化データであって（ＯＰ１１：Ｙｅｓ）、ＵＭＩ情報を受信する場合には（ＯＰ１７）、データをＵＭＩ情報で復号してから再生する。
【００４９】
データの再生が終了したら、電波停止モード管理部１４は無線通信部１１と呼制御部１２とを有効化し、電波停止モードを解除する（ＯＰ１４）。ＵＭＩ管理部１５は、ＵＭＩカード１６からＵＭＩ情報を読み出し、ＵＭＩ格納部１５Ａに格納する（ＯＰ１５）。
【００５０】
＜ＩＣ通信による音楽配信のシーケンス＞
図４は、ＩＣ通信による音楽配信のシーケンスを示す図である。図４は、携帯電話Ａがダウンロードして購入した曲を携帯電話Ｂに試聴用としてＩＣ通信で渡す場合の例である。
【００５１】
携帯電話Ａの利用者Ａは、携帯電話ＢにＩＣ通信で送信する曲を選択する（ＯＰ２１）。利用者Ａが選択した曲をＩＣ通信で送信する旨の操作を行うと、例えば、携帯電話Ａのディスプレイ表示に従って、選択ボタンを押下する（ＯＰ２２）。ＩＣ通信で選択した曲を送信するという入力を受け付けると、携帯電話Ａは、電波停止モードを起動する（ＯＰ２３）。携帯電話Ａは、ＩＣ通信を開始する（ＯＰ２３）。このとき、データを送信するための準備となる制御情報をやり取りする。
【００５２】
携帯電話Ａの利用者Ａは、ＯＰ２２の操作を行った後、携帯電話ＡのＩＣ通信用ポートを携帯電話ＢのＩＣ通信用ポートの通信範囲に近づける（重ね合わせる）。
【００５３】
携帯電話Ｂは、携帯電話ＡからのＩＣ通信を検知する（ＯＰ２５）。携帯電話Ｂは、ＩＣ通信を行うので、電波停止モードを起動させる（ＯＰ２６）。このとき、携帯電話Ｂは、携帯電話Ａに通信可能を示す応答を送信する。
【００５４】
携帯電話Ｂの利用者Ｂは、ＯＰ２５からＯＰ２６の間は、携帯電話Ｂを携帯電話Ａの通信範囲に近づける（重ね合わせる）だけである。
【００５５】
携帯電話Ｂから応答を受信すると、携帯電話Ａは選択した曲（暗号化されたデータ）の送信を開始する（ＯＰ２７）。携帯電話Ａは、自身のＵＭＩ情報も送信する（ＯＰ２９）。送信が完了すると、携帯電話Ａは、電波停止モードを解除する（ＯＰ３１）。
【００５６】
携帯電話Ｂは、携帯電話Ａから送信されるデータとＵＭＩ情報を受信する（ＯＰ２８、ＯＰ３０）。ＵＭＩ情報を受信すると、自身のＵＭＩ情報を受信した携帯電話ＡのＵＭＩ情報で上書きする（ＯＰ３０）。携帯電話Ｂは携帯電話ＡのＵＭＩ情報で受信したデータを復号し再生する（ＯＰ３２）。再生が終わると、電波停止モードを解除し（ＯＰ３２）、ＵＭＩ情報をＵＭＩカードから読み出し上書きする（ＯＰ３３）。携帯電話ＡのＵＭＩ情報は、携帯電話ＢのＵＭＩ情報によって上書きされる。
【００５７】
尚、携帯電話ＡのＩＣ通信用ポートと携帯電話ＢのＩＣ通信用ポートとを通信範囲内に近づける（重ね合わせる）のは、ＯＰ２４からＯＰ３０までの間で良い。
【００５８】
＜第１実施形態の作用効果＞
第１実施形態のように、暗号化データと暗号化データを復号するために必要なＵＭＩ情報（携帯電話ＡのＵＭＩ情報）とをＩＣ通信で受信し、携帯電話Ｂ自身のＵＭＩ情報を携帯電話ＡのＵＭＩ情報で書き換えることによって、携帯電話Ｂで携帯電話Ａの環境を再現する。そのことによって、携帯電話Ａから受信する暗号化された音楽データを復号化して再生することができる。
【００５９】
ＩＣ通信で受信した暗号化された音楽データの再生中は、携帯電話Ｂでありながら携帯電話ＡのＵＭＩ情報を有している状態である。即ち、携帯電話Ｂでありながら、携帯電話Ａとして発信、着信、携帯メールの送受信を行える状態である。このとき、電波停止モードを起動させておくことによって、携帯電話Ｂが携帯電話Ａとして発信、着信、及び携帯メールの送受信することを防ぐ。
【００６０】
受信した暗号化された音楽データの再生が終了したら、ＵＭＩ情報をＵＭＩカードから読み出し、携帯電話ＡのＵＭＩ情報から携帯電話ＢのＵＭＩ情報に書き換える。このことによって、それ以上は、暗号化された音楽データの複号が不可能となる。すなわち、音楽データの複製を防止し、試聴用の音楽を配信する目的を達成することができる。
【００６１】
ＩＣ通信によって、容易に、且つ、データのやり取りにコストをかけることなく、手渡し感覚で、データを相手に渡すことができる。特に、受信側は、何の操作もなく、ただ、送信側の携帯電話のＩＣ通信用ポートに近づける（重ね合わせる）だけで良いので、非常に容易である。
【００６２】
＜変形例＞
第１実施形態では、ダウンロードによって購入した音楽の配信について説明した。ＩＣ通信による配信は、音楽データに限らず、その他、動画データ、画像データ等の試聴用のデータにも適用できる。
【００６３】
第１実施形態では、データの再生が終了すると、ＵＭＩ情報の上書きを行うのみであった。このとき、格納部１７に格納されたＩＣ通信によって受信した暗号化データを削除してもよい。ＵＭＩ情報の上書きとともに、暗号化データを削除することによって、完全に複製を防止することができる。
【図面の簡単な説明】
【００６４】
【図１】ＩＣ通信による音楽配信の概略の例を示す図である。
【図２】ＩＣ通信による音楽配信を実現する携帯電話の構成例を示す図である。
【図３Ａ】ＩＣ通信による音楽配信を実現する携帯電話の動作例を示すフロー図である。
【図３Ｂ】ＩＣ通信による音楽配信を実現する携帯電話の動作例を示すフロー図である。
【図４】ＩＣ通信による音楽配信の例のシーケンスを示す図である。
【符号の説明】
【００６５】
１１        無線制御部
１２        呼制御部
１３        入力受付部
１４        電波停止モード停止部
１５        ＵＭＩ管理部
１５Ａ      ＵＭＩ格納部
１６        ＵＭＩカード
１７        格納部
１８        データ管理部
１９        ＩＣカード
２０  ＩＣカード通信部
２１        再生部
Ａ，Ｂ      携帯電話
ＭＳ        音楽サーバ
【図１】
2010067018.tif 000003
【図２】
2010067018.tif 000004
【図３Ａ】
2010067018.tif 000005
【図３Ｂ】
2010067018.tif 000006
【図４】
2010067018.tif 000007